(57)【特許請求の範囲】
【請求項１】
少なくとも用紙に記録を行う記録部と、用紙に記録された像を加熱定着する定着部とを収納するメイン下ケースの上面を上ケースにて覆い、該上ケースの上面側に原稿読取部を配置してなる画像記録装置において、
前記メイン下ケース内には、冷却用フアンによる冷却空気流の上流側に前記記録部を、下流側に定着部をそれぞれ配置し、
前記上ケースの下面と前記記録部の上面との間の隙間を、前記冷却空気流の通路となるよう形成する一方、
前記原稿読取部における搬送される原稿の画像データを読取るための密着型イメージセンサを、前記定着部の配置位置よりも、冷却空気流の上流側である前記記録部の上方における前記上ケースの上面側に配置したことを特徴とする画像記録装置。
【請求項２】
前記上ケースの下面から下向きに突出させた複数列のリブを前記通路内に臨ませて、該リブを前記冷却空気流のための整流板と記録部への用紙ガイド板との機能を兼用するように構成したことを特徴とする請求項１に記載の画像記録装置。
【請求項３】
前記上ケースの下面と記録部の上面との間に形成された冷却空気流の通路のうち、上下隙間の最も狭い箇所の近傍の上方に、前記密着型イメージセンサを配置したことを特徴とする請求項２に記載の画像記録装置。
【請求項４】
前記原稿読取部におけるユニットケースには、原稿搬送用のローラ対と、該ローラ対を駆動するための駆動モータユニットとを配置し、前記ユニットケースのうち、駆動モータユニットの配置箇所の下面側に、前記冷却用フアンに向かって空気が流れる空気通路を設けたことを特徴とする請求項１乃至請求項３のいずれかに記載の画像記録装置。
【発明の詳細な説明】
【０００１】
【発明の属する技術分野】
本発明は、ファクシミリ装置や複写機等の画像記録装置に係り、より詳しくは、画像記録手段における加熱定着部から出る熱により、原稿読取部における原稿読取り用のイメージセンサの性能が悪化しないようにする冷却のための構造に関するものである。
【０００２】
【従来の技術】
従来から、ファクシミリ装置や複写機等の画像記録装置には、原稿読取部と、画像データを用紙に記録するための記録部と、前記記録部に用紙を供給する給紙部とが備えられているのが通常である。そして、最近の小型のファクシミリ装置や複写機では、小型化のために、原稿読取部に、光源と画像検出部とが一体的なケース内に収められた密着型イメージセンサ（ＣＩＳ）を採用されたものが出現した。
【０００３】
【発明が解決しようとする課題】
しかしながら、この種の密着型イメージセンサ（ＣＩＳ）は、現状ではアモルファス膜（アモルファス半導体）を光電変換素子として使用しているため、雰囲気温度が高くなると、検出した画像データの濃度にムラが発生し易いという問題があった。一方、記録部として、静電潜像が形成される感光体とこの感光体にトナー像を形成する現像部とを有するプロセスユニットと、用紙に転写されたトナー像を加熱定着する定着ユニットとからなるものを使用した場合、当該定着ユニットからかなり高温の熱が発生するので、前記密着型イメージセンサを定着ユニットの近くに配置すると、前記の熱による悪影響を受け易い。これを回避するため、両者の間隔を離すようにすると画像記録装置が大型化してしまうという問題があった。
【０００４】
本発明は、これらの問題を解決するためになされたものであり、原稿読取部における密着型イメージセンサに熱の悪影響を与えずに小型化できる画像記録装置を提供することを目的とするものである。
【０００５】
【課題を解決するための手段】
この目的を達成するため、請求項１に記載した発明の画像記録装置は、少なくとも用紙に記録を行う記録部と、用紙に記録された像を加熱定着する定着部とを収納するメイン下ケースの上面を上ケースにて覆い、該上ケースの上面側に原稿読取部を配置してなる画像記録装置において、前記メイン下ケース内には、冷却用フアンによる冷却空気流の上流側に前記記録部を、下流側に定着部をそれぞれ配置し、前記上ケースの下面と前記記録部の上面との間の隙間を、前記冷却空気流の通路となるよう形成する一方、前記原稿読取部における搬送される原稿の画像データを読取るための密着型イメージセンサを、前記定着部の配置位置よりも、冷却空気流の上流側である前記記録部の上方における前記上ケースの上面側に配置したものである。
【０００６】
また、請求項２に記載した発明の画像記録装置は、請求項１に記載の画像記録装置において、前記上ケースの下面から下向きに突出させた複数列のリブを前記通路内に臨ませて、該リブを前記冷却空気流のための整流板と記録部への用紙ガイド板との機能を兼用するように構成したものである。
【０００７】
そして、請求項３に記載した発明の画像記録装置は、請求項２に記載の画像記録装置において、前記上ケースの下面と記録部の上面との間に形成された冷却空気流の通路のうち、上下隙間の最も狭い箇所の近傍の上方に、前記密着型イメージセンサを配置したものである。
さらに、請求項４に記載した発明の画像記録装置は、請求項１乃至請求項３のいずれかに記載の画像記録装置において、前記原稿読取部におけるユニットケースには、原稿搬送用のローラ対と、該ローラ対を駆動するための駆動モータユニットとを配置し、前記ユニットケースのうち、駆動モータユニットの配置箇所の下面側に、前記冷却用フアンに向かって空気が流れる空気通路を設けたものである。
【０００８】
【発明の実施の形態】
次に、本発明を具体化した実施形態を図面に基づいて説明する。図１は本発明を適用する画像記録装置の一例としてのファクシミリ装置の主要構成部品の斜視図、図２はファクシミリ装置の概略側断面図、図３はファクシミリ装置の一部切欠き平面図、図１１は冷却空気流の通路を示す要部拡大側断面図、図１２は本体ケースの前部拡大側断面図、図１３は原稿読取部を含む一部切欠き断面図である。
【０００９】
ファクシミリ装置１の本体ケースは、図１に示すように、スキャナユニット２、プロセスユニット（記録部）３及び定着ユニット（定着部）４からなる画像記録手段としての記録ユニットと、画像を形成するための用紙Ｐを供給するための給紙部としての給紙ユニット５とを上側から装着する合成樹脂製のメイン下ケース１ａと、該メイン下ケース１ａの上側を覆い、前方を大きく上下回動できるように、メイン下ケース１ａの側部後部位に枢着された合成樹脂製の上ケース１ｂとからなり、該上ケース１ｂの上面には、原稿読取部としての原稿読取ユニット６及び原稿送り台７を載置でき、原稿読取りユニット６の上側を、操作パネル８にて着脱自在に覆うように構成されている。
【００１０】
そして、プロセスユニット３、定着ユニット４及び、給紙ユニット５に動力伝達するための駆動モータとギヤ列とを含む駆動系ユニット９は、メイン下ケース１ａの左側の収納凹所（図示せず）内に装着固定される。
そして、メイン下ケース１ａの後面部の一側（実施例では右寄り部位）には、図２、図４、図６（ａ）、図６（ｂ）及び図７に示すように、当該メイン下ケース１ａの後面壁１ｃ下端縁から適宜上下寸法の下連設片部１ｄより上側にて後面と上面にわたって窓孔５９が穿設されている。この窓孔５９を側面視逆Ｌ字状のサブカバー６２にて着脱自在に開口できるように構成されている。
【００１１】
さらに、前記メイン下ケース１ａの下面を覆う金属板製の底カバー１０の上側には、制御基板１１、低圧電源基板１２、高圧電源基板１３、電話回線を介して他の電話装置やファクシミリ装置との間で会話やファクシミリデータの送受信を可能にするためのＮＣＵ（ネットワークコントロールユニット）基板１４、プロセスユニット３の帯電器２８等に対する高圧電源基板１３が配置されている。即ち、図２、図４、図６及び図７に示すように、前記給紙ユニット５の下端部が載置されるメイン下ケース１ａの上面壁１ｅと後面壁１ｃとプロセスユニット３の後端に対面する仕切り壁面１ｆと前記底カバー１０とで囲まれる空間を、前記制御基板１１、低圧電源基板１２、ＮＣＵ基板１４及び、増設用の電子部品としての増設ＲＡＭ（随時読み書き可能メモリ）ボード６０やＬＡＮ（ローカル  エリア  ネットワーク）ボード６１等のオプショナルボード収納できる収納空間７８とする。なお、底カバー１０の上面のうち、前記窓孔５９に近い部位（実施例では後部右端寄り部位）に、制御基板１１がビス等にて固定配置されている。また、この制御基板１１とパーソナルコンピュータ等の外部装置（図示せず）とを接続するケーブル７５のためのコネクタ７６の支持部（基部）が前記底カバー１０の後端から立ち上がった上向き片１０ａと前記メイン下ケース１ａの下連設片部１ｃとにビス７７にて共締めされている（図６（ａ）及び、図６（ｂ）参照）。
【００１２】
図７に示すように、前記メイン下ケース１ａの窓孔５９より左側の収納空間７８内において、底カバー１０の後端寄り部位の左側にビス７９を介して電気的に接続されて立設し、且つ上端が上面壁１ｅにビス８０にて磁界遮蔽のための仕切り板兼用の金属板製の支持板１４ａが固定されている。そして、前記支持板１４ａの片面に固定されるＮＣＵ基板１４の部品側がメイン下ケース１ａの後面壁１ｃと対面するように縦状に配置される。ＮＣＵ基板１４の近傍の底カバー１０上面側に低圧電源基板１２がビス等により固定配置されている。従って、低圧電源基板１２側から発生した熱は前記支持板１４ａに遮られ、直接ＮＣＵ基板１４の部品面に当たらないようになっている。
【００１３】
また、前記メイン下ケース１ａの後面壁１ｃ及び上面壁１ｅに多数穿設された通気孔５０ａ，５０ｂを通る空気により、前記低圧電源基板１２からの放熱を効率良く機外に排出できると共に、ＮＣＵ基板１４の部品面を効率良く冷却することができる。さらに、前記金属板製の底カバー１０に対して金属板製の支持板１４ａを介してＮＣＵ基板１４のグラウンド部が電気的に接続されているから、グラウンド（接地）することと、ＮＣＵ基板１４を強固に取付けることとを同時に達成することができるのである。
【００１４】
なお、窓孔５９の左端側の内側に立設した仕切り板８１のため、窓孔５９から収納空間７８内に作業者が手を入れるとき、不用意にＮＣＵ基板１４と低圧電源基板１２と接触しないように構成されている。ＮＣＵ基板１４に設けたモジュラーコネクタ８２は、メイン下ケース１ａの側面に露出させ、電話回線用のモジュラージャック（図示せず）が接続されるようになっている。
【００１５】
次に、画像記録手段における各ユニット等の構成について説明する。給紙ユニット５のフィダー部ケース５ａ内に積層された状態でセットされた用紙Ｐの先端側は、フィダー部ケース５ａ内の付勢ばね１５ａ付き支持板１５にて給紙ローラ１６に向かって押圧され、上記駆動系ユニット９から動力伝達されて回転する給紙ローラ１６と分離パッド１７とによって１枚ずつ分離される。分離された用紙Ｐは、上下一対のレジストローラ１８，１９にてプロセスユニット３の上部側に給送され、このプロセスユニット３で表面にトナーにより画像を形成された用紙Ｐは、定着ユニット４の加熱ローラ２１と押圧ローラ２２とにて画像を固定された後、排紙口２０から外に排出され、図示しない排紙トレイの上に排出される。
【００１６】
上面開放箱体状のメイン下ケース１ａの平面視ほぼ中央部に配置するプロセスユニット３の下方の部位には、スキャナユニット２が前記メイン下ケース１ａの底板部の上面側に一体的に形成したステー部にビス等にて固定される。露光ユニットとしてのスキャナユニット２には、図２に示すように、合成樹脂製の上支持板２ａの下面側に、レーザ発光部、ポリゴンミラー２３、レンズ２４、反射鏡２５等を配置し、前記上支持板２ａに感光体ドラム２６の軸線に沿って延びるように穿設された横長スキャナ孔を覆う硝子板を通過してプロセスユニット３における感光体ドラム２６の外周面にレーザービームを照射して露光するように構成されている。
【００１７】
前記プロセスユニット３は、前記感光体ドラム２６とその上面に当接して回転する転写ローラ２７、感光体ドラム２６の下方に配置したスコロトロン型等の帯電器２８、給紙方向において感光体ドラム２６よりも上流側に配置した現像ローラ２９及び供給ローラ３０を有する現像装置、さらにその上流側に配置した現像剤（トナー）供給部すなわち着脱可能なトナーカートリッジ３１、また感光体ドラム２６よりも下流側に配置したクリーニング装置３２等から成っている。感光体ドラム２６の外周面は、帯電器２８にて形成された帯電層に前記スキャナユニット２からレーザービームを走査することによって静電潜像が形成される。前記トナーカートリッジ３１内の現像剤（トナー）は、攪拌体（図示せず）にて攪拌されて放出されたのち、供給ローラ３０を介して現像ローラ２９の外周面に担持され、ブレードによってトナー層厚さが規制される。感光体ドラム２６の静電潜像は、現像ローラ２９から現像剤が付着することによって顕像化され、転写ローラ２７と感光体ドラム２６の間を通る用紙Ｐに転写される。そして、感光体ドラム２６上に残った現像剤はクリーニング装置３２で回収される。
【００１８】
このプロセスユニット３は、合成樹脂製のケースに組み込むことにてカートリッジ化されており、このカートリッジ化したプロセスユニット３は、前記メイン下ケース１ａに着脱可能に装着される。
前記上ケース１ｂ上に配置される原稿読取ユニット６は、図２、図８、図９及び図１０に示すように、合成樹脂製のユニットケース４２内に配置される横長の密着型イメージセンサ（ＣＩＳ）３４と、原稿送り台７の近傍に配置される原稿分離送りローラ３５ａ及び分離パッド３５ｂと、前記密着型イメージセンサ３４の搬送上流側に配置される搬送駆動ローラ３６ａ及び従動ローラ３６ｂと、搬送下流側に配置される搬送駆動ローラ３７ａ及び従動ローラ３７ｂと、前記各ローラ３５，３６ａ，３７ａを駆動するための駆動モータ４０と歯車列４１とがフレーム内に収納された駆動モータユニット３９とが備えられ、前記原稿分離送りローラ３５ａ及び分離パッド３５ｂを介して１枚ずつ送られる原稿（図示せず）は下面が白色の下向き凸湾曲状に配置された押圧板３８とＣＩＳ３４の上面との間を通過するとき、原稿の画像が読み取られるように構成されている。
【００１９】
図２、図１１及び図１３に示すように、原稿読取ユニット６における密着型イメージセンサ（ＣＩＳ）３４は、前記定着ユニット４の配置位置よりも、冷却空気流の上流側であるプロセスユニット３の上方の、前記上ケース１ｂの上面側に配置され、且つ図１１及び図１３に示すように、前記上ケース１ｂの下面とプロセスユニット３の上面との間の隙間を、前記冷却空気流の通路８５となるよう形成し、その通路８５のうち上下隙間寸法Ｈ１の最も狭い部位の近傍の上方に、前記密着型イメージセンサ３４を配置したものである。
【００２０】
そして、上ケース１ｂの下面から下向きに、且つ用紙Ｐの搬送方向と平行状に延びるように突出させ、且つ用紙Ｐの搬送方向と直角な幅方向に適宜間隔にて配置された複数列のリブ８６を前記通路８５内に臨ませて、該リブ８６を冷却空気流のための整流板とプロセスユニット３における感光体ドラム２６と転写ローラ２７との間への用紙ガイド板との機能を兼用するように構成したものである。
【００２１】
さらに、図１３に示すように、前記原稿読取ユニット６におけるユニットケース４２の下面側の一側部位には、前記駆動モータユニット３９の配置箇所の下面側に、前記冷却用フアン４３への空気通路８７が穿設されており、原稿台７の上面と操作パネル８との間の空間から入る空気が、ユニットケース４２の上面に穿設された前記従動ローラ３６ｂ，３７ｂの配置のための孔等からユニットケース４２内を通過してＣＩＳ３４を冷却した後、前記空気通路８７の箇所を通過するとき、前記駆動モータ４０を冷却するように構成されている。
【００２２】
また、メイン下ケース１ａにおける前側右部位には、ケースの外側へ空気を吹出す冷却用フアン４３を収納するための収納部４４と、用紙Ｐの通過方向と直交する方向に延びる通風ダクト４５とが連通して形成される。この場合、図２、図１２及び図１３に示すように、通風ダクト４５の上面板部４５ａを断面下向きの略Ｖ字状に形成し、この上面板部４５ａがメイン下ケース１ａの上面側に配置するプロセスユニット３と定着ユニット４との間に位置して定着ユニット４における加熱ローラ２１の熱がプロセスユニット３側に伝達されないようになっている。なお、断面下向き略Ｖ字状の上面板部４５ａの下端間を合成樹脂板製等の仕切り板４６にて連設し、これらの部材で囲まれた部位が通風ダクト４３となるように構成されている。
【００２３】
また、図４、図５、図６（ａ）、図６（ｂ）及び図７に示すように、メイン下ケース１ａの後面壁１ｃ（前記ＮＣＵ基板１４と対面する箇所）及び上面壁１ｅと、サブカバー６２とにはそれぞれ多数個の通気孔５０ａ，５０ｂが穿設されている一方、図４及び図１３に示すように、前記冷却用フアン４３が配置されるメイン下ケース１ａの右側面に吹出孔５２が多数個穿設され、また、底カバー１０の後部左寄り部位と前部左寄り部位とにも空気吸い込み孔５３ａ，５３ｂが多数個穿設されている。
【００２４】
図５、図７、図１１及び図１２に示すように、メイン下ケース１ａの内側には、給紙ユニット５の載置部の下方に通気孔５４と、プロセスユニット３の後面と対峙する箇所に通気孔５５ａ、５５ｂと、前記上面板部４５ａの箇所に通気孔５６と、前記冷却用フアン４３の収納部４４を仕切る壁面等に通気孔５７とがそれぞれ穿設されている。
【００２５】
さらに、図７及び図１１等に示すように、メイン下ケース１ａの上面壁１ｅの近傍には、給紙ユニット５におけるユニットケース５ａの裏面に当接するか接近する箇所には、シール８８を張設して、前記上面壁１ｅとユニットケース５ａの裏面との隙間から空気が入らないように塞ぎ、前記多数個の通気孔５０ａ，５０ｂから空気がメイン下ケース１ａ内に入り易くするように構成している。また、前記上面板部４５ａの箇所に張設したシール８９は、プロセスユニット３の前面との隙間を塞ぎ、通風ダクト４３内に沿って冷却空気が流れ易いように構成されている。
【００２６】
そして、他の電話装置との会話を行うための送受話器（ハンドセット）６４は、メイン下ケース１ａの左側面から外向きに突設した受け台６５上に載置され、発呼用のスピーカ６６は、メイン下ケース１ａ内の右側面の後部側に固定されている。
図１４は、本発明が適用されたファクシミリ装置１の制御系統を示すブロック図である。ファクシミリ装置１は、操作パネル８を介して入力される使用者からの各種指令に応じて、各種処理動作の設定、原稿読取ユニット６による原稿画像の読み取り、原稿画像の送信データ化、送信データの符号化、ファクシミリデータの送受信、受信データの復号化、復号化したファクシミリデータの記録ユニットでの用紙Ｐへの記録を実行する他、原稿読取ユニット６のＣＩＳ（密着型イメージセンサ）３４による原稿読取りと画像記録手段における各ユニットによる用紙Ｐへの画像記録というコピー（複写）処理機能、図示しないパーソナルコンピュータ等の外部装置からのデータ伝送に基づき、その伝送されたデータを用紙Ｐに印字するプリンタ処理機能、前記原稿読取ユニット６を使って読み取った画像データを前記外部装置へ送信するというスキャナ処理機能をも備えている。
【００２７】
これらの動作を行うために、ファクシミリ装置１は、操作パネル８、原稿読取ユニット６、レーザ光のスキャナユニット２、プロセスユニット３、定着ユニット４等からなる画像記録手段、制御基板１１に搭載されて、各種制御・演算を実行するＣＰＵ６７、制御プログラムを記憶したＲＯＭ６８、一部が受信バッファメモリ６９ａとして用いられているＲＡＭ６９、ＮＣＵ基板１４、該ＮＣＵ基板１４を介して他のファクシミリ装置との間でファクシミリデータを送受信するためのモデム７０、他の電話装置との会話を行うための送受話器（ハンドセット）６４、発呼用のスピーカ６６、前記画像記録手段における各ユニットの各駆動部に動力を付与するためのステッピングモータを備えた駆動系ユニット９、前記制御基板１１等に低圧の電力を供給するための低圧電源基板１２、前記プロセスユニット３の帯電器２８に高圧電力を供給するための高圧電源基板１３、冷却空気を機外に排出するための冷却用フアン４３、およびこれらを接続するバスライン７１等を備えている。
【００２８】
なお、使用者の要望にて付加できる前述したメモリ量を増加するための増設ＲＡＭボード６０、及び複数のコンピュータ等の外部装置とデータを伝送するようにネットワークを構築するためのＬＡＮボード６１も図９に示すごとく接続できる。
上述の構成において、電源を投入すると、前記各基板１１，１２、１３、１４に電力が供給され、各種制御実行可能となる一方、冷却用フアン４３が回転駆動する。すると、メイン下ケース１ａの後端面等の通気孔５０ａ，５０ｂから吸い込まれた冷却空気は、ＮＣＵ基板１４、制御基板１１、低圧電源基板１２の表面箇所を通過し、次いで、スキャナユニット２の下面側と底カバー１０との間を通ってメイン下ケース１ａの前方に至る一方、給紙ユニット５の載置部の下方の通気孔５４や、プロセスユニット３の後面と対峙する箇所の通気孔５５ａ、５５ｂを介してプロセスユニット３の上面と上ケース１ｂの下面との間の通路８５を通過した冷却空気は、前記上面板部４５ａの箇所の通気孔５６や通気孔５７を介して収納部４４に集まり、冷却用フアン４３にて本体ケースの外に放出されるのである。これにより、定着ユニット４の加熱ローラ２１の熱がプロセスユニット３に悪影響を及ぼさないのである。
【００２９】
また、前記読取ユニット６におけるＣＩＳ３４は、発熱量の大きい定着ユニット４の箇所よりも冷却空気流の上流側であるプロセスユニット３の上方の上ケース１ｂの上面に配置されているので、前記定着ユニット４からの熱の悪影響を受け難い。また、上ケース１ｂとプロセスユニット３の上面との間の通路８５のうち、上下隙間寸法の最も小さい箇所の近傍に前記ＣＩＳ３４が配置されていると、ノズル効果のため、通路８５の隙間寸法の小さい箇所を通過する冷却空気流の流速が速くなり、上ケース１ｂを冷却する効果が大きくなる。さらに、前記通路８５中に、用紙Ｐの搬送方向に延び、該用紙Ｐの搬送方向と直角な幅方向に適宜間隔にて配置された多数枚のリブ８６のため、冷却空気流は、前記用紙Ｐの幅方向とほぼ平行状にのびる横長のＣＩＳ３４の全長にわたって前記通路８５中を用紙Ｐの搬送方向に沿ってほぼ均一に流れ、ＣＩＳ３４の全長に対応する上ケース１ｂを効率良く冷却させることができると共に、前記多数枚のリブ８６の存在により、用紙Ｐが詰まりなくプロセスユニット３に円滑に供給でき、リブ８６が整流板（冷却フィン）と用紙ガイドとの２つの機能を同時に果たすので、構成も簡単になるという効果を奏する。
【００３０】
そして、原稿台７の上面と操作パネル８との間の空間から入る空気は、ユニットケース４２の上面に穿設された前記従動ローラ３６ｂ，３７ｂの配置のための孔等からユニットケース４２内を通過して前記空気通路８７の箇所を通過するので、駆動モータ４０よりも風上側に配置されるＣＩＳ３４を冷たい外気の空気流で効率良く冷却したのち、駆動モータ４０も冷却できる。
【００３１】
しかも、前記空気通路８７が、前記冷却用フアン４３を内蔵する収納部４４への通気孔５７に近い箇所に穿設されているので、冷却用フアン４３による空気吸い込み作用が向上するという効果も奏する。
本発明は、上述したように、ファクシミリ装置ばかりでなく、ＣＩＳ３４を使用した複写機についても適用できることは言うまでもない。
【００３２】
【発明の効果】
以上に説明したように、請求項１に記載した発明の画像記録装置によれば、読取部における密着型イメージセンサは、発熱量の大きい定着部の箇所よりも冷却空気流の通路の上流側であって、前記記録部の上方における、前記上ケースの上面側に配置されていることと、この通路及び記録部の上方の上ケースの下面との２つの箇所で伝熱が遮断されるので、画像記録装置を小型化しても、定着部からの熱の悪影響を受け難くなり、密着型イメージセンサの性能が悪化せず、良好に画像データを読取ることができるという効果を奏するのである。
【００３３】
また、請求項２に記載した発明の画像記録装置によれば、上ケースの下面から下向きに突出させた複数列のリブのため、冷却空気流は、密着型イメージセンサの全長にわたって通路中を用紙の搬送方向に沿ってほぼ均一に流れ、密着型イメージセンサの全長に対応する上ケースを効率良く冷却させることができると共に、複数枚のリブの存在により、用紙が詰まりなく記録部に円滑に供給できるというように、リブが冷却フィンと用紙ガイドとの２つの機能を同時に果たすので、構成も簡単になり、製造コストを低減できるという効果を奏するのである。
【００３４】
そして、請求項３に記載した発明の画像記録装置によれば、ノズル効果のため、通路の隙間寸法の小さい箇所を通過する冷却空気流の流速が速くなり、上ケースを冷却する効果が大きくなり、密着型イメージセンサに対する定着ユニットからの熱伝達を一層効率良く遮断できるという効果を奏する。
さらに、請求項４に記載した発明の画像記録装置によれば、ユニットケースの上面側から入った空気は、前記冷却用フアンに向かって流れる。その際、原稿搬送用のローラ対のために穿設された孔等からユニットケース内を通過して空気通路の箇所を通過するので、駆動モータユニット箇所よりも風上側に配置される密着型イメージセンサを冷たい外気の空気流で効率良く冷却したのち、駆動モータも冷却できる。
【００３５】
しかも、空気通路が、冷却用フアンへの通気部位に近い箇所に穿設されているので、冷却用フアンによる空気吸い込み作用が向上するという効果も奏するのである。
【図面の簡単な説明】
【図１】  ファクシミリ装置の主要部品の斜視図である。
【図２】  ファクシミリ装置の概略側断面図である。
【図３】  ファクシミリ装置の一部切欠き平面図である。
【図４】  メイン下ケースの下面を覆う底カバー及び制御基板等の配置を示す平面図である。
【図５】  メイン下ケースの平面図である。
【図６】  （ａ）はファクシミリ装置の後部の斜視図、（ｂ）はカバー体を外した状態のファクシミリ装置の後部の斜視図である。
【図７】  図６（ｂ）のVII −VII 線矢視断面図である。
【図８】  原稿読取ユニットの構成部品を示す斜視図である。
【図９】  原稿読取ユニットの平面図である。
【図１０】  原稿読取ユニットの下面図である。
【図１１】  ファクシミリ装置の要部拡大側断面図である。
【図１２】  通気ダクトの箇所の要部拡大側断面図である。
【図１３】  図１１のＸIII −ＸIII 線矢視断面図である。
【図１４】  制御手段のブロック図である。
【符号の説明】
Ｐ        用紙
１        ファクシミリ装置
１ａ      メイン下ケース
１ｂ      上ケース
３        プロセスユニット
４        定着ユニット
５        給紙ユニット
６        原稿読取ユニット
７        原稿送り台
８        操作パネル
１０        底カバー
２１        加熱ローラ
３４        密着型イメージセンサ（ＣＩＳ）
４３        冷却用フアン
５０ｂ      通気孔
５５ａ      通気孔
８５        通路
８６        リブ
８７        空気通路
【図１】
0003965540.tif 000002
【図２】
0003965540.tif 000003
【図３】
0003965540.tif 000004
【図４】
0003965540.tif 000005
【図５】
0003965540.tif 000006
【図６】
0003965540.tif 000007
【図７】
0003965540.tif 000008
【図８】
0003965540.tif 000009
【図９】
0003965540.tif 000010
【図１０】
0003965540.tif 000011
【図１１】
0003965540.tif 000012
【図１２】
0003965540.tif 000013
【図１３】
0003965540.tif 000014
【図１４】
0003965540.tif 000015